【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
ソーシャルネットワーキング環境においてメディア資産を通信するための方法であって、プロセッサに、
ネットワーク接続を介してソーシャルパブリケーションサービスからメディア資産を受信するステップと、
あるタイプの前記メディア資産が前記ソーシャルパブリケーションサービス上の指定されたパーティによって公開される場合に、ユーザプロファイルに従って、前記メディア資産をユーザに通信するステップと、
を実行させる、前記方法。
【請求項２】
前記プロセッサに、
第２のメディア資産を前記ネットワーク接続を介して前記ソーシャルパブリケーションサービスから受信する付加的なステップと、
あるタイプの前記第２のメディア資産が前記ソーシャルパブリケーションサービス上の前記指定されたパーティによって公開されて、前記メディア資産および前記第２のメディア資産の前記タイプが異なる場合に、前記ユーザプロファイルに従って、前記第２のメディア資産の前記ユーザへの通信を阻止する付加的なステップと、
を実行させる、請求項１に記載の方法。
【請求項３】
前記プロセッサに、
第２のメディア資産を前記ネットワーク接続を介して第２のソーシャルパブリケーションサービスから受信する付加的なステップと、
あるタイプの前記第２のメディア資産が前記第２のソーシャルパブリケーションサービス上の前記指定されたパーティによって公開されて、前記メディア資産および前記第２のメディア資産の前記タイプが同じである場合に、前記ユーザプロファイルに従って、前記第２のメディア資産の前記ユーザへの通信を阻止する付加的なステップと、
を実行させる、請求項１に記載の方法。
【請求項４】
前記プロセッサに、
第２のメディア資産を前記ネットワーク接続を介して第２のソーシャルパブリケーションサービスから受信する付加的なステップと、
あるタイプの前記第２のメディア資産が前記第２のソーシャルパブリケーションサービス上の前記指定されたパーティによって公開されて、前記メディア資産および前記第２のメディア資産の前記タイプが異なる場合に、前記ユーザプロファイルに従って、前記第２のメディア資産を前記ユーザに通信する付加的なステップと、
を実行させる、請求項１に記載の方法。
【請求項５】
前記プロセッサに、
第２のメディア資産を前記ネットワーク接続を介して前記ソーシャルパブリケーションサービスから受信する付加的なステップと、
あるタイプの前記第２のメディア資産が前記ソーシャルパブリケーションサービス上の第２の指定されたパーティによって公開されて、前記メディア資産および前記第２のメディア資産の前記タイプが同じである場合に、前記ユーザプロファイルに従って、前記第２のメディア資産の前記ユーザへの通信を阻止する付加的なステップと、
前記第２の指定されたパーティが第２のソーシャルパブリケーションサービス上の前記第２のメディア資産を公開した場合に、前記ユーザプロファイルに従って、前記第２のメディア資産を前記ユーザに通信する付加的なステップと、
を実行させる、請求項１に記載の方法。
【請求項６】
前記ソーシャルパブリケーションサービスは、インスタントメッセージサービス、ソーシャルネットワーキングサービス、写真共有サービス、映像共有サービス、音声共有サービス、およびアプリケーションサービスのうちの少なくとも１つである、請求項１に記載の方法。
【請求項７】
前記メディア資産のタイプは、音声、映像、写真、ウェブサイトへのリンク、およびメッセージのうちの少なくとも１つである、請求項１に記載の方法。
【請求項８】
前記指定されたパーティ及び前記ユーザは、前記ソーシャルパブリケーションサービスのメンバーであり、前記指定されたパーティ及び前記ユーザは、互いにリンクされることが許容される、請求項１に記載の方法。
【請求項９】
ソーシャルネットワーキング環境においてメディア資産を通信するための装置であって、
ネットワーク接続を介してソーシャルパブリケーションサービスからメディア資産を受信する入力インタフェースと、
あるタイプの前記メディア資産が前記ソーシャルパブリケーションサービス上の指定されたパーティによって公開される場合に、ユーザプロファイルに従って、前記メディア資産をユーザに通信するプロセッサと、
前記ユーザプロファイルを記憶するストレージデバイスと、
を備える、前記装置。
【請求項１０】
前記プロセッサは、さらに、
前記入力インタフェース経由で第２のメディア資産を前記ネットワーク接続を介して前記ソーシャルパブリケーションサービスから受信することと、
あるタイプの前記第２のメディア資産が前記ソーシャルパブリケーションサービス上の前記指定されたパーティによって公開されて、前記メディア資産および前記第２のメディア資産の前記タイプが異なる場合に、前記ユーザプロファイルに従って、前記第２のメディア資産の前記ユーザへの通信を阻止することと、
を実行する、請求項９に記載の装置。
【請求項１１】
前記プロセッサは、さらに、
前記入力インタフェース経由で第２のメディア資産を前記ネットワーク接続を介して第２のソーシャルパブリケーションサービスから受信することと、
あるタイプの前記第２のメディア資産が前記第２のソーシャルパブリケーションサービス上の前記指定されたパーティによって公開されて、前記メディア資産および前記第２のメディア資産の前記タイプが同じである場合に、前記ユーザプロファイルに従って、前記第２のメディア資産の前記ユーザへの通信を阻止することと、
を実行する、請求項９に記載の装置。
【請求項１２】
前記プロセッサは、さらに、
前記入力インタフェース経由で第２のメディア資産を前記ネットワーク接続を介して第２のソーシャルパブリケーションサービスから受信することと、
あるタイプの前記第２のメディア資産が前記第２のソーシャルパブリケーションサービス上の前記指定されたパーティによって公開されて、前記メディア資産および前記第２のメディア資産の前記タイプが異なる場合に、前記ユーザプロファイルに従って、前記第２のメディア資産を前記ユーザに通信することと、
を実行する、請求項９に記載の装置。
【請求項１３】
前記プロセッサは、さらに、
前記入力インタフェース経由で第２のメディア資産を前記ネットワーク接続を介して前記ソーシャルパブリケーションサービスから受信することと、
あるタイプの前記第２のメディア資産が前記ソーシャルパブリケーションサービス上の第２の指定されたパーティによって公開されて、前記メディア資産および前記第２のメディア資産の前記タイプが同じである場合に、前記ユーザプロファイルに従って、前記第２のメディア資産の前記ユーザへの通信を阻止することと、
前記第２の指定されたパーティが第２のソーシャルパブリケーションサービス上の前記第２のメディア資産を公開した場合に、前記ユーザプロファイルに従って、前記第２のメディア資産を前記ユーザに通信することと、
を実行する、請求項９に記載の装置。
【請求項１４】
前記ソーシャルパブリケーションサービスは、インスタントメッセージサービス、ソーシャルネットワーキングサービス、写真共有サービス、映像共有サービス、音声共有サービス、およびアプリケーションサービスのうちの少なくとも１つである、請求項９に記載の装置。
【請求項１５】
前記メディア資産のタイプは、音声、映像、写真、ウェブサイトへのリンク、およびメッセージのうちの少なくとも１つである、請求項９に記載の装置。
【請求項１６】
前記指定されたパーティ及び前記ユーザは、前記ソーシャルパブリケーションサービスのメンバーであり、前記指定されたパーティ及び前記ユーザは、互いにリンクされることが許容される、請求項９に記載の装置。
【手続補正２】
【補正対象書類名】明細書
【補正対象項目名】００４５
【補正方法】変更
【補正の内容】
【００４５】
本開示の技術が組み込まれた実施形態を本明細書に詳しく示して説明したが、当業者は、この技術をさらに組み込む他の多くの様々な実施形態を容易に考案することができる。変更及び変形形態は、上記の技術に照らして当業者によって行われ得ることに留意されたい。
＜付記１＞
ソーシャルネットワーキング環境において選択を指定するための方法であって、
ネットワーク接続を介してソーシャルパブリケーションサービスからメディア資産を受信する（３０５）ステップと、
前記メディア資産のタイプが前記ソーシャルパブリケーションサービス上の指定されたパーティによって発行される時に、ユーザプロファイルに従って、前記メディア資産をユーザに通信する（３２５）ステップと、
を備える、前記方法。
＜付記２＞
第２のメディア資産を前記ネットワーク接続を介して前記ソーシャルパブリケーションサービスから受信する付加的なステップと、
前記第２のメディアのタイプが前記ソーシャルパブリケーションサービス上の前記指定されたパーティによって発行されて、前記メディアおよび第２のメディアの前記タイプが異なる時に、前記ユーザプロファイルに従って、前記第２のメディア資産の前記ユーザへの通信を阻止する付加的なステップと、
を備える、付記１に記載の方法。
＜付記３＞
第２のメディア資産を前記ネットワーク接続を介して第２のソーシャルパブリケーションサービスから受信する付加的なステップと、
前記第２のメディアの前記タイプが前記ソーシャルパブリケーションサービス上の前記指定されたパーティによって発行されて、前記メディアおよび第２のメディアの前記タイプが同じである時に、前記ユーザプロファイルに従って、前記第２のメディア資産の前記ユーザへの通信を阻止する付加的なステップと、
を備える、付記１に記載の方法。
＜付記４＞
第２のメディア資産を前記ネットワーク接続を介して第２のソーシャルパブリケーションサービスから受信する付加的なステップと、
前記第２のメディアのタイプが前記第２のソーシャルパブリケーションサービス上の前記指定されたパーティによって発行されて、前記メディアおよび第２のメディアの前記タイプが異なる時に、前記ユーザプロファイルに従って、前記第２のメディア資産を前記ユーザに通信する付加的なステップと、
を備える、付記１に記載の方法。
＜付記５＞
第２のメディア資産を前記ネットワーク接続を介して前記ソーシャルパブリケーションサービスから受信する付加的なステップと、
前記第２のメディアのタイプが前記ソーシャルパブリケーションサービス上の第２の指定されたパーティによって発行されて、前記メディアおよび第２のメディアの前記タイプが同じである時に、前記ユーザプロファイルに従って、前記第２のメディア資産の前記ユーザへの通信を阻止する付加的なステップと、
前記第２の指定されたパーティが第２のソーシャルパブリケーションサービス上の前記第２のメディア資産を発行した時に、前記ユーザプロファイルに従って、前記第２のメディア資産を前記ユーザに通信する付加的なステップと、
を備える、付記１に記載の方法。
＜付記６＞
前記ソーシャルパブリケーションサービスは、インスタントメッセージサービス、ソーシャルネットワーキングサービス、写真共有サービス、映像共有サービス、音声共有サービス、およびアプリケーションサービスのうちの少なくとも１つである、付記１に記載の方法。
＜付記７＞
前記メディアのタイプは、音声、映像、写真、ウェブサイトへのリンク、およびメッセージのうちの少なくとも１つである、付記１に記載の方法。
＜付記８＞
前記指定されたパーティ及びユーザは、前記ソーシャルパブリケーションサービスのメンバーであり、前記指定されたパーティ及びユーザは、許可によって互いにリンクされる、付記１に記載の方法。
＜付記９＞
ソーシャルネットワーキング環境において選択を指定するための装置（２００）であって、
ネットワーク接続を介してソーシャルパブリケーションサービスからメディア資産を受信する入力インタフェース（２０４）と、
前記メディア資産のタイプが前記ソーシャルパブリケーションサービス上の指定されたパーティによって発行される時に、ユーザプロファイルに従って、前記メディア資産をユーザに通信するプロセッサ（２１４）と、
前記ユーザプロファイル情報を記憶するストレージデバイス（２１２）と、
を備える、前記装置。
＜付記１０＞
前記入力インタフェース経由で第２のメディア資産を前記ネットワーク接続を介して前記ソーシャルパブリケーションサービスから受信することと、
前記プロセッサは、前記第２のメディアのタイプが前記ソーシャルパブリケーションサービス上の前記指定されたパーティによって発行されて、前記メディアおよび第２のメディアの前記タイプが異なる時に、前記ユーザプロファイルに従って、前記第２のメディア資産の前記ユーザへの通信を阻止することと、
を付加的に備える、付記９に記載の装置。
＜付記１１＞
前記入力インタフェース経由で第２のメディア資産を前記ネットワーク接続を介して第２のソーシャルパブリケーションサービスから受信することと、
前記プロセッサは、前記第２のメディアの前記タイプが前記第２のソーシャルパブリケーションサービス上の前記指定されたパーティによって発行されて、前記メディアおよび第２のメディアの前記タイプが同じである時に、前記ユーザプロファイルに従って、前記第２のメディア資産の前記ユーザへの通信を阻止することと、
を付加的に備える、付記９に記載の装置。
＜付記１２＞
前記入力インタフェース経由で第２のメディア資産を前記ネットワーク接続を介して第２のソーシャルパブリケーションサービスから受信することと、
前記プロセッサは、前記第２のメディアのタイプが前記第２のソーシャルパブリケーションサービス上の前記指定されたパーティによって発行されて、前記メディアおよび第２のメディアの前記タイプが異なる時に、前記ユーザプロファイルに従って、前記第２のメディア資産を前記ユーザに通信することと、
を付加的に備える付記９に記載の装置。
＜付記１３＞
前記入力インタフェース経由で第２のメディア資産を前記ネットワーク接続を介して前記ソーシャルパブリケーションサービスから受信することと、
前記プロセッサは、前記第２のメディアのタイプが前記ソーシャルパブリケーションサービス上の第２の指定されたパーティによって発行されて、前記メディアおよび第２のメディアの前記タイプが同じである時に、前記ユーザプロファイルに従って、前記第２のメディア資産の前記ユーザへの通信を阻止することと、
前記プロセッサは、前記第２の指定されたパーティが第２のソーシャルパブリケーショ
ンサービス上の前記第２のメディア資産を発行した時に、前記ユーザプロファイルに従って、前記第２のメディア資産を前記ユーザに通信することと、
を付加的に備える、付記９に記載の装置。
＜付記１４＞
前記ソーシャルパブリケーションサービスは、インスタントメッセージサービス、ソーシャルネットワーキングサービス、写真共有サービス、映像共有サービス、音声共有サービス、およびアプリケーションサービスのうちの少なくとも１つである、付記９に記載の装置。
＜付記１５＞
前記メディアのタイプは、音声、映像、写真、ウェブサイトリンク、およびメッセージのうちの少なくとも１つである、付記９に記載の装置。
＜付記１６＞
前記指定されたパーティ及びユーザは、前記ソーシャルパブリケーションサービスのメンバーであり、前記指定されたパーティ及びユーザは、許可によって互いにリンクされる、付記９に記載の装置。
＜付記１７＞
指定されたパーティを特定するための第１の表示要素（４０５）と、
メディア資産のタイプを特定するための第２の表示要素（４１０）と、
メディア資産の前記タイプを前記指定された人から受信するためにソーシャルパブリケーションサービスを特定するための第３の表示要素（４１５）とであって、前記第１、第２、および第３の領域からの前記情報を使用して、通信動作、通信の阻止、動作の転送、動作の遮断、および動作のフィルタリングのうちの少なくとも１つに使用することができるユーザプロファイルを作成する、第３の表示要素と、
を備える、ユーザインタフェース（４００）。